(57)【特許請求の範囲】
【請求項１】
温水を生成する給湯装置本体と、前記給湯装置本体からの凝縮水を中和するための中和器と、前記中和器からのドレン水を建造物の排水溝に導くための排水構造とを備えた給湯装置のドレン排水構造であって、
前記中和器の排出部には、ドレン水を排水するドレン管が接続され、前記排水構造は、排水流路部が設けられたドレンレールと、前記ドレン管を前記ドレンレールに接続するための接続手段とを備えており、
前記ドレンレールの前記排水流路部における底部の排出端部には端溝が設けられ、前記端溝は前記ドレンレールの排出側端面を下方に前記排水溝に向けて延びており、
前記中和器からのドレン水は、前記ドレン管及び前記ドレンレールの前記排水流路部及び前記端溝を通して前記排水溝に排水されることを特徴とする給湯装置のドレン排水構造。
【請求項２】
前記ドレンレールの前記排水流路部は、前記ドレン管からのドレン水が流れる一対の流路部を備え、前記一対の流路部の底部の排出端部には端溝が設けられ、前記端溝は前記ドレンレールの排出側端面を下方に前記排水溝に向けて延びていることを特徴とする請求項１に記載の給湯装置のドレン排水構造。
【請求項３】
前記排水構造は、更に、前記排水流路部の上面を覆うカバー部材を備え、前記カバー部材が前記ドレンレールに着脱自在に装着されることを特徴とする請求項１又は２に記載の給湯装置のドレン排水構造。
【請求項４】
温水を生成する給湯装置本体と、前記給湯装置本体からの凝縮水を中和するための中和器と、前記中和器からのドレン水を建造物の排水溝に導くための排水構造とを備えた給湯装置のドレン排水構造であって、
前記中和器の排出部には、ドレン水を排水するドレン管が接続され、前記排水構造は、排水流路部が設けられたドレンレールと、前記ドレン管を前記ドレンレールに接続するための接続手段とを備え、
前記接続手段は、前記ドレンレールに取り付けられる取付本体部と、前記ドレン管を挟持保持するための一対の挟持部材とを備え、前記一対の挟持部材が前記取付本体部に回動自在に装着され、
前記中和器からのドレン水は、前記ドレン管及び前記ドレンレールの前記排水流路部を通して前記排水溝に排水されることを特徴とする給湯装置のドレン排水構造。
【請求項５】
前記ドレンレールの前記排水流路部は、撥水材料から形成され、又は撥水加工が施されていることを特徴とする請求項１〜４のいずれかに記載の給湯装置のドレン排水構造。
【請求項６】
前記ドレンレールの前記排水流路部は、親水性材料から形成され、又は親水加工が施されていることを特徴とする請求項１〜４のいずれかに記載の給湯装置のドレン排水構造。
【発明の詳細な説明】
【技術分野】
【０００１】
本発明は、給湯装置のドレンパンに捕集された凝縮水を中和処理して排水する給湯装置のドレン排水構造に関する。
【背景技術】
【０００２】
近年、給湯装置の熱効率を高めるために、燃焼排気ガスの排気潜熱をも利用するようにした給湯装置（所謂、潜熱回収型給湯装置）が実用に供されている（例えば、特許文献１参照）。この種の給湯装置は、温水を生成する給湯装置本体と、この給湯装置本体からの凝縮水を中和する中和器とを備えている。給湯装置本体は、燃焼室の下部に配設された燃焼バーナと、燃焼バーナの上方に配設された熱交換器と、燃焼室内に配設されたドレンパンとを備え、熱交換器の主熱交換器部がこのドレンパンの下側に配設され、熱交換器の副熱交換器部がドレンパンの上側に配設されている。
【０００３】
この給湯装置においては、燃焼バーナの燃焼排気ガスが主熱交換器部の周囲を流れる間に熱交換が行われ、更にこの燃焼排気ガスが副熱交換器部の周囲を流れる間に熱交換が行われ、これら熱交換によって温水が生成される。また、副熱交換器部にて結露した凝縮水は、ドレンパンに捕集されて中和器に流れ、この中和器にて中和された後に外部に排水される。
【０００４】
この給湯装置の中和器から排水されるドレン水は、例えば、浴槽の配管を利用して排水している（例えば、特許文献２参照）。浴槽には、追焚き用の循環ラインが設けられ、この循環ラインは給湯装置本体の熱交換器（主熱交換器部及び副熱交換器部）に接続され、浴槽内の湯水は、循環ライン及び熱交換器を通して循環される。この循環ラインには、第１切換弁を介して排水管が接続されているとともに、第２切換弁を介して中和器からのドレン管が接続されている。第１切換弁は、第１の切換状態のときには循環ラインを連通状態にし、第２の切換状態のときには循環ラインと排水管とを連通する。また、第２切換弁は、第１の切換状態のときには循環ラインを連通状態にし、第２の切換状態のときには循環ラインとドレン管を連通する。浴槽の湯水を循環するときには、第１及び第２切換弁が第１の切換状態に保持され、浴槽内の湯水が循環ライン及び給湯装置本体の熱交換器（主熱交換器部及び副熱交換器部）を通して循環される。浴槽内の湯水を排水するときには、第１切換弁が第２の切換状態に、また第２切換弁が第１の切換状態に保持され、浴槽内の湯水が循環ライン及び排水管を通して外部に排水される。また、中和器にて中和されたドレン水を排水するときには、第１及び第２切換弁が第２の切換状態に保持され、中和器からのドレン水がドレン管、循環ライン及び排水管を通して外部に排水される。
【先行技術文献】
【特許文献】
【０００５】
【特許文献１】特開２００２−３１４１０号公報
【特許文献２】特開２００８−８５８８号公報
【発明の概要】
【発明が解決しようとする課題】
【０００６】
このような浴槽の配管を利用したドレン排水構造では、次の通りの問題がある。第１に、中和器からのドレン管を浴槽の循環ラインに接続する構造であるために、浴槽関係の設備と給湯装置とを新たに設置する場合には容易に適用可能であるが、既設の浴槽関係の設備をそのままにして給湯装置のみを新たなものに交換する場合には大幅な設置工事が必要となり、このような場合には潜熱回収型給湯装置に交換することが難しくなる。
【０００７】
第２に、ドレン管を浴槽の循環ラインに接続するのに切換弁（ドレン水用切換弁）を介して行う必要があるために、その構造が複雑になるとともに、その設置作業も煩雑となる。加えて、湯水用の切換弁とドレン水用の切換弁を用いるために、それらの切換制御も複雑になる。
【０００８】
本発明の目的は、中和器からのドレン水の排水を簡単な構造でもって行うことができる給湯装置のドレン排水構造を提供することである。
【課題を解決するための手段】
【０００９】
本発明の請求項１に記載の給湯装置のドレン排水構造は、温水を生成する給湯装置本体と、前記給湯装置本体からの凝縮水を中和するための中和器と、前記中和器からのドレン水を建造物の排水溝に導くための排水構造とを備えた給湯装置のドレン排水構造であって、
前記中和器の排出部には、ドレン水を排水するドレン管が接続され、前記排水構造は、排水流路部が設けられたドレンレールと、前記ドレン管を前記ドレンレールに接続するための接続手段とを備えており、
前記ドレンレールの前記排水流路部における底部の排出端部には端溝が設けられ、前記端溝は前記ドレンレールの排出側端面を下方に前記排水溝に向けて延びており、
前記中和器からのドレン水は、前記ドレン管及び前記ドレンレールの前記排水流路部及び前記端溝を通して前記排水溝に排水されることを特徴とする。
【００１０】
また、本発明の請求項２に記載の給湯装置のドレン排水構造では、前記ドレンレールの前記排水流路部は、前記ドレン管からのドレン水が流れる一対の流路部を備え、前記一対の流路部の底部の排出端部には端溝が設けられ、前記端溝は前記ドレンレールの排出側端面を下方に前記排水溝に向けて延びていることを特徴とする。
【００１２】
また、本発明の請求項３に記載の給湯装置のドレン排水構造では、前記排水構造は、更に、前記排水流路部の上面を覆うカバー部材を備え、前記カバー部材が前記ドレンレールに着脱自在に装着されることを特徴とする。
【００１３】
また、本発明の請求項４に記載の給湯装置のドレン排水構造は、温水を生成する給湯装置本体と、前記給湯装置本体からの凝縮水を中和するための中和器と、前記中和器からのドレン水を建造物の排水溝に導くための排水構造とを備えた給湯装置のドレン排水構造であって、
前記中和器の排出部には、ドレン水を排水するドレン管が接続され、前記排水構造は、排水流路部が設けられたドレンレールと、前記ドレン管を前記ドレンレールに接続するための接続手段とを備え、
前記接続手段は、前記ドレンレールに取り付けられる取付本体部と、前記ドレン管を挟持保持するための一対の挟持部材とを備え、前記一対の挟持部材が前記取付本体部に回動自在に装着され、
前記中和器からのドレン水は、前記ドレン管及び前記ドレンレールの前記排水流路部を通して前記排水溝に排水されることを特徴とする。
【００１４】
また、本発明の請求項５に記載の給湯装置のドレン排水構造では、前記ドレンレールの前記排水流路部は、撥水材料から形成され、又は撥水加工が施されていることを特徴とする。
【００１５】
更に、本発明の請求項６に記載の給湯装置のドレン排水構造では、前記ドレンレールの前記排水流路部は、親水性材料から形成され、又は親水加工が施されていることを特徴とする。
【発明の効果】
【００１６】
本発明の請求項１に記載の給湯装置のドレン排水構造によれば、建造物としての集合住宅のベランダなどの床面にドレンレールが設置され、中和器からのドレン管が接続手段を介してドレンレールに接続されるので、中和器からのドレン水は、ドレン管及びドレンレールを通してベランダなどの排水溝に排水され、ドレンレール及び接続手段を設けるという簡単な構造でもってドレン水をベランダなどの排水溝を利用して排水することができる。また、ドレンレールの排出流路部における底部の排出端部に端溝が設けられ、この端溝がドレンレールの排出側端面を下方に延びているので、この排出流路部の排出端部においては、ドレンの排水流量が少ないときでもこの端溝の中央部から排水溝に向けて途切れることなく流れ、これによって、ドレン水の溜まり発生を防止することができる。尚、給湯装置とは、給湯用（例えば、浴槽など）の温水及び／又は暖房用（例えば、床暖房装置など）の温水を生成するものである。
【００１７】
また、本発明の請求項２に記載の給湯装置のドレン排水構造によれば、ドレンレールの排水流路部は一対の流路部を備え、一対の流路部の底壁の排水端部に端溝が設けられているので、ドレン管からのドレン水は、ドレンレールのこれら流路部及び端溝を通して排水することができ、一方の流路部が詰まったときには一方の流路部からあふれて他方の流路部を通して排水される。そして、一方の流路部が凍結したり、ゴミなどで詰まった場合でも中和器からのドレン水を他方の流路部を通して排水することができ、その結果、ドレン水が排水されないという事態を回避することができる。
【００１９】
また、本発明の請求項３に記載の給湯装置のドレン排水構造によれば、ドレンレールの排水流路部の上面がカバー部材により覆われているので、ドレン水を安全に排水溝に排水することができ、また排水流路部にゴミなどが入るのを防止することができる。
【００２０】
また、本発明の請求項４に記載の給湯装置のドレン排水構造によれば、その基本的構成が上述したと同様であるので、中和器からのドレン水をドレン管及びドレンレールを通してベランダなどの排水溝に排水することができる。また、排水構造の接続手段は一対の挟持部材を備え、中和器からのドレン管が一対の挟持部材間に挟持されるので、このドレン管をドレンレールに簡単に且つ確実に接続することができる。更に、一対の挟持部材が取付本体部に回動自在に装着されているので、一対の挟持部材の角度位置を調整することによって、ドレン管とドレンレールとの接続状態を調整することができる。
【００２１】
また、本発明の請求項５に記載の給湯装置のドレン排水構造によれば、ドレンレールの排水流路部が撥水性材料から形成されている（又は撥水加工が施されている）ので、排水流路部の勾配が緩やかな場合であっても速やかに排水することができ、またドレン水が可変して少なくなった場合でも排水することができ、その結果、凍結による排水流路部の詰まりを未然に防止することができる。
【００２２】
更に、本発明の請求項６に記載の給湯装置のドレン排水構造によれば、ドレンレールの排水流路部が親水性材料から形成されている（又は親水加工が施されている）ので、排水流量が少ない場合でもドレン水が層状となって残水することなく排水することができる。尚、このドレン水は薄い膜状で残水するおそれがあるが、この膜状の残水が仮に凍結したしたとしても排水流路部の表面に薄く発生するのみであり、その結果、排水流路部の大部分において流路を確保することができる。
【図面の簡単な説明】
【００２３】
【図１】本発明が適用される給湯装置の給湯装置本体の一例を示す簡略図。
【図２】図１の給湯装置本体に装備された中和器を簡略的に示す断面図。
【図３】本発明の給湯装置のドレン排水構造の一実施形態を示す簡略斜視図。
【図４】図３のドレン排水構造を拡大して示す斜視図。
【図５】図３のドレン排水構造の一部を更に拡大して示す部分拡大断面図。
【図６】ドレン排水構造の他の実施形態を示す断面図。
【図７】排水構造における接続手段の変形形態を示す斜視図。
【図８】図７の接続手段を用いたドレン排水構造の実施形態を示す断面図。
【図９】変形形態のドレンレールの一部を拡大して示す部分拡大斜視図。
【発明を実施するための形態】
【００２４】
以下、添付図面を参照して、本発明に従う給湯装置のドレン排水構造の一実施形態について説明する。まず、図１を参照して、本発明が適用される給湯装置の給湯装置本体の一例について説明する。図１において、図示の給湯装置２は給湯装置本体４を備え、この給湯装置本体４内に燃焼室６が配設され、この燃焼室６の上端部に横方向（図１において左方）に延びる排気流路８が設けられている。燃焼室６の下部には燃焼バーナ１０が配設され、この燃焼バーナ１０にはガス供給流路１２が接続され、このガス供給流路１２にガス開閉弁１４が設けられている。ガス開閉弁１４が開状態になると、ガス供給流路１２を通して燃料用ガスが燃焼バーナ１０に供給され、燃焼バーナ１０の燃焼により生成された燃焼排気ガスは燃焼室６内を上方に流れ、排気流路８を通して外部に排出される。
【００２５】
燃焼室６内の燃焼バーナ１０の上方には熱交換器１６及びドレンパン１８が配設されている。ドレンパン１８はプレート状であり、熱交換器１６の上下方向中間部に配置され、熱交換器１６は、このドレンパン１８の下側（燃焼バーナ１０側）に位置する主熱交換器部２０と、ドレンパン１８の上側（燃焼バーナ１０と反対側）に位置する副熱交換器部２２から構成されている。熱交換器１６の流入側、この実施形態では副熱交換器部２２の上端部に、例えば給水パイプから構成される給水流路２４が接続されている。また、熱交換器１６の流出側、この実施形態では主熱交換器部２０の下端部に、例えば出湯パイプから構成される出湯流路２８が接続され、この出湯流路２８に出湯開閉弁２６が配設されている。更に、給水流路２４と出湯流路２８との間にバイパス流路３０が接続され、このバイパス流路３０と出湯流路２８との接続部に流量分配弁３２が設けられている。出湯開閉弁２６が開放されると、水道管などからの水が給水流路２４を通して熱交換器１６の副熱交換器部２２に供給され、副熱交換器部２２を通して流れる間に燃焼排気ガスの潜熱を吸収し、また主熱交換器部２０を通して流れる間に燃焼排気ガスの顕熱を吸収して温水となり、この温水とバイパス流路３０を流れる水とが流量分配弁３２により混合され、かく混合されて所望温度となった温水が出湯流路２８を通して例えば浴槽３０（図３参照）に送給される。
【００２６】
ドレンパン１８には、凝縮水を中和器３２に導くための凝縮水流路３４（例えば、凝縮水管３５）が接続され、副熱交換器部２２にて凝縮した凝縮水は、ドレンパン１８に流下して捕集された後に凝縮水流路３４（凝縮水管３５）を通して中和器３２に送給される。この中和器３２にはドレン管３６が接続され、中和器３２にて中和されたドレン水がドレン管３６を通して後述する如く排水される。
【００２７】
次に、図２を参照して、この給湯装置本体４に装備される中和器３２について説明する。中和器３２は、中和ハウジング３８を備え、この中和ハウジング３８内が中間仕切り壁４０によって第１及び第２中和室４２，４４に仕切られている。第１及び第２中和室４２，４４内には、凝縮水を中和するための中和剤（例えば、炭化カルシウムなど）が充填され、それらの底部が連通開口４６を通して連通されている。
【００２８】
中和器３２の中和ハウジング３８の流入部（具体的には、第１室４２の流入部）には凝縮水管３５が接続され、ドレンパン１８からの凝縮水は、凝縮水管３５を通して中和ハウジング３８の第１室４６に送給される。また、中和ハウジング３８の第２室４４にはドレン管３６が接続され、中和ハウジング３８の第１及び第２室４２，４８を通して流れる間に中和された凝縮水は、この第２室４４から溢れてドレン管３６を通して排出される。
【００２９】
この中和器３２からの凝縮水（ドレン水）の排水は、図３〜図５に示す排水構造７３により行われる。図３〜図５において、この実施形態では、排水構造７３は、排水流路部７４を有するドレンレール７６と、中和器３２からのドレン管３６をドレンレール７６に接続するための接続手段７８とを備えている。給湯装置本体４が建造物としての例えば集合住宅のベランダ８０（例えば、ベランダ８０の壁部８２）に設置される場合（図３及び図４参照）、ドレンレール７６は、ベランダ８０の床面８４に設置される。
【００３０】
ベランダ８０の保護壁８６の外側には、雨水を排水するための雨水管８８が設けられており、このことに関連して、ベランダ８０の床面８４の保護壁８６側には、ベランダ８０の雨水を排水するための排水溝９０が設けられ、この排水溝９０が接続管９２を介して雨水管８８に連通されている。
【００３１】
ドレンレール７６は、ベランダ８０の床面８４の壁部８２側から保護壁８６側に排水溝９０まで設けられ、この床面８４に接着剤などによって固定される。このドレンレール７６は、例えば、塩化ビニル、合成ゴム（例えば、ニトリルブタジエンラバー、エチレンプロピレンブタジエンゴムなど）から形成される。
【００３２】
ドレンレール７６は、断面形状が三角形状に形成され、その幅方向（図５において左上から右下の方向）中央部に排水流路部７４が設けられている。この形態では、排水流路部７４の底部には、幅方向中央部に中央突部９４が設けられ、この中央突部９４によって、排水流路部７４の片側（例えば、図５において左側）に第１流路部９６が規定され、その他側（例えば、図５において右側）に第２流路部９８が規定され、第１及び第２流路部９６，９８の底面は、この中央突部９４に向けて上方に略直線状に傾斜して延びている。また、ドレンレール７６の上部には、幅方向中央部に向けて上方に傾斜して延びる上傾斜突部１００，１０２が設けられている。一方の上傾斜突部１００は、第１流路部９６の底部の外側部（即ち、図５において最も深い部位）を覆い、他方の上傾斜突部１０２は、第２流路部１０２の底部の外側部（即ち、図５において最も深い部位）を覆い、これら上傾斜突部１００，１０２間は開放されている。
【００３３】
ドレンレール７６の排水流路部７４（第１及び第２流路部９６，９８）は、ドレン水の水切りを良くするために撥水特性を持たせるのが好ましい。この実施形態では、排水流路部７４の表面に撥水層１０４が設けられ、このような撥水層１０４は、例えば、ドレンレール７６の排水流路部７４の底部を撥水性材料（四フッ化エチレン、シリコンなど）から形成する、或いは撥水性材料を塗布する、撥水性材料から形成された撥水シートを貼付するなどして撥水加工を施して設けることができる。
【００３４】
排水流路部７４（第１及び第２流路部９６，９８）に撥水特性を持たせた場合、ドレン水は塊状になって流れる傾向にあり、それ故に、ドレンレール７６の長手方向（ドレン水の流れ方向）の設置勾配が緩やかである（例えば、集合住宅のベランダでは１／５０〜１／１００程度である）場合であっても、ドレン水を排水溝９０に速やかに排水することができる。また、ドレン水の流量が少なくなって第１流路部９６（又は第２流路部９８）に残水したとしても、残水したドレン水は、その傾斜面に沿って底部に流下して集められ、この底部に沿って流れて排水溝９０に排水することができる。
【００３５】
このドレンレール７６の排水流路部７４は、撥水特性に代えて、親水特性を持たせるようにしてもよく、この場合、排水流路部７４の表面に親水層が設けられ、このような親水層は、例えば、ドレンレール７６の排水流路部７４の底部を親水性材料（例えば、無機系（金属）材料から形成する、或いは親水性材料を塗布する、親水性材料から形成された親水シートを貼付するなどして親水加工を施して設けることができる。
【００３６】
排水流路部７４（第１及び第２流路部９６，９８）に親水特性を持たせた場合、ドレン水は排水流路部７４の表面に層状になって流れる傾向にあり、それ故に、ドレンレール７６の長手方向の設置勾配が緩やかである場合であっても、ドレン水の表面張力を利用して部分的に残水することなく排水溝９０に排水することができる。また、第１流路部９６（又は第２流路部９８）に薄い膜レベルで残水するおそれがあるが、残水したドレン水が仮に凍結したとしてもその凍結は第１流路部９６（又は第２流路部９８）の表面のみとなり、その大部分においてドレン水の流路を確保することができる。
【００３７】
この形態では、ドレンレール７６の排水流路部７４（具体的には、上傾斜突部１００，１０２間の開口部）を覆うようにカバー部材１０６が着脱自在に装着される。カバー部材１０６の両側部には、ドレンレール７６の上傾斜突部１００，１０２に装着される係合部１０８，１１０が設けられ、かかる係合部１０８，１１０には、上傾斜突部１００，１０２の先端部形状に対応した係合凹部１１２、１１４が設けられている。このカバー部材１０６は、例えば合成樹脂から形成され、幾分弾性変形可能に構成され、一対の上傾斜突部１００，１０２間に嵌め込むようにして着脱自在に装着される。
【００３８】
図示の接続手段７８は、取付本体１１６と、この取付本体１１６を貫通して設けられた筒状部材１１８とから構成され、筒状部材１１８には貫通挿入孔１２０が設けられている。取付本体１１６は、カバー部材１０６と同様の構成であるが、その長手方向の長さは、カバー部材１０６より短く形成されている。この取付本体１１６は、ドレンレール７６の一端部（壁部８２側の端部）における一対の上傾斜突部１００，１０２間に、上述したように嵌め込むようにして着脱自在に装着される。
【００３９】
ドレンレール７６の一端には、更に、排水流路部７４の一端を塞ぐように閉塞部材１２２が固定される。この閉塞部材１２２は、ドレンレール７６及び接続手段７８の取付本体１１６の一端面に当接するように固定され、このように閉塞部材１２２を設けることにより、ドレンレール７６の一端側からのドレン水の漏れを防止することができる。ドレン管３６は、筒状部材１１８の貫通挿入孔１２０に挿入するようにして接続手段７８に接続され、この接続手段７８を介してドレンレール７６の排水流路部７４に連通される。
【００４０】
この排水構造７３においては、中和器３２にて中和処理されたドレン水（凝縮水）は、中和器３２の第２室４４から溢れてドレン管３６を通してドレンレール７６の排水流路部７４（第１及び第２流路部９６，９８）に流入し、この排水流路部７４を通してベランダ８０の排水溝９０に流れ、接続管９２及び雨水管８８を通して排水され、このように排水溝９０、接続管９２及び雨水管８８を利用して安全に排水することができる。
【００４１】
次に、図６を参照して、ドレン排水構造の他の実施形態について説明する。この他の実施形態においては、排水構造に修正が施されている。尚、以下の実施形態において、上述の実施形態と実質上同一の部材には同一の参照番号を付し、その説明を省略する。
【００４２】
図６において、この排水構造７３Ａでは、ドレンレール７６Ａの幅方向（図６において左右方向）の中央部に中央突部９４Ａが設けられ、この中央突部９４Ａの片側（図６において左側）に排水流路部７４Ａの第１流路部９６Ａが設けられ、その他側（図６において右側）に排水流路部７４Ａの第２流路部９８Ａが設けられている。第１及び第２流路部９６Ａ，９８Ａは略Ｖ字状に形成され、それらの幅方向中央部が深く形成されている。この形態では、第１及び第２流路部９６Ａ，９８Ａの底部に、断面略半円状の水切り溝部１３２，１３４が設けられ、このように構成することによって、第１及び第２流路部９６Ａ，９８Ａの表面に付着したドレン水は、この水切り溝部１３２，１３４に流下し、この水切り溝部１３２，１３４を通して排水され、その結果、第１及び第２流路部９６Ａ，９８Ａにてドレン水が凍結するのを防止することができる。尚、この形態においても、上述したように、ドレンレール７６Ａの排水流路部７４Ａ（第１及び第２流路部９６Ａ，９８Ａ）に撥水特性又は親水特性を持たせるのが望ましい。
【００４３】
また、カバー部材１０６Ａの内面の幅方向中央部には、ドレンレール７６Ａの中央突部９４Ａに対応して支持突部１３６が一体的に設けられ、カバー部材１０６Ａの係合部１０８，１１０をドレンレール７６Ａの上傾斜突部１００，１０２に装着した状態において、この支持突部１３６がドレンレール７６Ａの中央突部９４Ａに当接支持され、このように構成することによって、装着状態におけるカバー部材１０６Ａの強度を高め、人が踏んだ場合などにおけるカバー部材１０６Ａの破損を防止することができる。尚、この支持突部１３６をカバー部材１０６Ａと別体に構成し、ドレンレール７６Ａの中央突部９４Ａとカバー部材１０６Ａとの間に介在するようにしてもよく、或いはドレンレール７６Ａの中央突部９４Ａを更に上方に突出させ、この中央突部９４Ａによりカバー部材１０６Ａを直接的に支持するようにしてもよい。この実施形態におけるその他の構成は、図１〜図５に示す実施形態と実質上同一である。
【００４４】
このような排水構造７３Ａを備えた給湯装置においても、中和器３２からドレン管３６を通してドレンレール７６Ａの排水流路部７４Ａ（第１及び第２流路部９６Ａ，９８Ａ）に流入したドレン水は、この排水流路部７４Ａを通してベランダ８０の排水溝９０（図３及び図４参照）に排水され、上述したと同様にして排水することができる。尚、この形態におけるカバー部材１０６Ａの支持突部１３６に関する構成は、図５に示し実施形態にも同様に適用することができる。
【００４５】
また、排水構造の接続手段として、図７及び図８に示すものを用いることができる。図７及び図８において、この形態の接続手段７８Ｂは略三角形状の取付本体部１４２を備え、この取付本体部１４２は、一対の傾斜支持部１４４，１４６と、これら傾斜支持部１４４，１４６の基部を接続する接続部１４８を有し、一対の傾斜支持部１４４，１４６の下部及び接続部１４８にわたって流出防止壁部１６０が設けられている。これら傾斜支持部１４４，１４６の先端部には、断面円形状の支持受部（図示せず）が設けられている。また、これら傾斜支持部１４４，１４６は、幾分弾性変形可能に構成される。
【００４６】
この接続手段７８Ｂは、更に、一対の挟持部材１４８，１５０を有し、これら挟持部材１４８，１５０の内面は半円筒状の受面１５２，１５４を規定し、これら受面１５２，１５４は、相互に協働して円筒状の受部を規定する。一方の挟持部材１４８は軸部１５６に回動自在に装着され、この軸部１５６が一方の傾斜支持部１４４の上記支持受部（図示せず）に挿入固定される。また、他方の挟持部材１５０は軸部１５８に回動自在に装着され、この軸部１５８が他方の傾斜支持部１４６の上記支持受部（図示せず）に挿入固定される。
【００４７】
この形態では、取付本体部１４２の接続部１４８の一端側（図８において左側）は、他端側（図８において右側）に向けて上方に傾斜して延び、その他端側は、上記一端側に向けて上方に傾斜し、この他端側の傾斜角度は、上記一端側の傾斜角度よりも小さくなっており、これにより、接続部１４８の頂部１６０は、その中央部よりも上記一端側に偏って位置する。
【００４８】
接続手段７８Ｂの上述した構成に関連して、ドレンレール７６Ｂの排水流路部７４Ｂの中央突部９４Ｂは、取付本体部１４２の接続部１４８の形状に対応して幅方向（図８において左右方向）中央部よりも第１流路部９６Ｂ側に位置し、これにより、第１流路部９６Ｂの幅は、第２流路部９８Ｂの幅よりも小さくなっている。ドレンレール７６Ｂのその他の構成は、図３〜図５に示すものと実質上同一である。
【００４９】
このような構成の排水構造７３Ｂでは、接続手段７８Ｂの取付本体部１４２は、図８に示すように、ドレンレール７６Ｂの排水流路部７４Ｂに、即ち一対の上傾斜突部１００，１０２間に嵌め込むように着脱自在に取り付けられ、かく取り付けられた接続手段７８Ｂの一対の挟持部材１４８，１５０間に、中和器３２（図２参照）から延びるドレン管３６が挟持保持される。そして、この接続状態では、図８に示すように、ドレン管３６の排出部がドレンレール７６Ｂにおける排水流路部７４Ｂの第２流路部９８Ｂの上方に位置する。また、一対の挟持部材１４８，１５０が取付本体部１４２に対して相対的に回転自在に装着されているので、一対の挟持部材１４８，１５０の角度位置を調整することによって、ドレン管３６の排出部の角度を調整してドレン水の排水方向を調整することができる。
【００５０】
このような排水構造７３Ｂを備えた給湯装置においては、中和器３２からドレン管３６を通して流れるドレン水は、ドレンレール７６Ｂにおける排水流路部７４Ｂの第２流路部９８Ｂに流入し、この第２流路部９８Ｂを通してベランダの排水溝に排水される。また、仮にドレン水の凍結などによって第２流路部９８Ｂが詰まった場合、この第２流路部９８Ｂを通してのドレン水の排水ができなくなるが、この場合、ドレン管３６を通してドレンレール７６Ｂの第２流路部９８Ｂに流入したドレン水は、この第２流路部９８Ｂから中央突部９４Ｂを越えて第１流路部９６Ｂにあふれ、この第１流路部９６Ｂを通して排水され、かくして、一方の流路部（この形態では、第２流路部９８Ｂ）が詰まった場合においても、他方の流路部（この形態では、第１流路部９６Ｂ）を利用して排水することができる。
【００５１】
この接続手段７８Ｂは、例えば、図６に示す形態のドレンレール７６Ａにも同様に適用することができ、この場合、一対の挟持部材１５２，１５４を幅方向に角度調整自在に構成し、一対の挟持部材１５２，１５４を幅方向に角度調整してドレン管３６の排出部をドレンレール７６Ａの第１流路部９６Ａ（又は第２流路部９８Ａ）側に振ってドレン管３６からのドレン水が第１流路部９６Ａ（又は第２流路部９８Ａ）に流入するようにすればよい。この場合、ドレン管３６からのドレン水は、通常時に排水流路部７４Ａの第１流路部９６Ａ（又は第２流路部９８Ａ）を通して排水され、この第１流路部９６Ａ（又は第２流路部９８Ａ）が凍結などにより詰まった時に、第１流路部９６Ａ（又は第２流路部９８Ａ）から中央突部９４Ａを越えて第２流路部９８Ａ（又は第１流路部９６Ａ）側にあふれて流れ、この第２流路部９８Ａ（又は第１流路部９６Ａ）を通して排水される。
【００５２】
以上、本発明に従う給湯装置のドレン排水構造の実施形態について説明したが、本発明はかかる実施形態に限定されるものではなく、本発明の範囲を逸脱することなく種々の変形乃至修正が可能である。
【００５３】
例えば、図４及び図５におけるドレンレール７６の排出端部の構成を、例えば、図９に示すように構成することもできる。図９において、この変形形態では、ドレンレール７６の排出端部に端溝２０２，２０４が設けられている。一方の端溝２０２は第１流路部９６の底部の排出端部に設けられ、また他方の端溝２０４は第２流離部９８の底部の排出端部に設けられ、これら端溝２０２，２０４は、ドレンレール７６の端面２０６を下方に排水溝９０（図３参照）に向けて延びている。これら端溝２０２，２０４は、横断面形状が円弧状となるようにするのが望ましい。尚、このような端溝２０２，２０４は、図６に示す形態のもの、図８に示すものにも同様に適用することができる。
【００５４】
このように端溝２０２，２０４を設けた場合、ドレンレール７６の第１流路部９６（又は第２流路部９８）の底部を流れるドレン水は、この端溝２０２（又は２０４）を通して排水溝９０に排水される。そして、第１流路部９６（又は第２流路部９８）からのドレンン水は、その流量が多いとその流れの勢いである程度の幅をもって端溝２０２（又は２０４）を流下し、また流量が少ないとその表面張力でもって端溝２０２（２０４）の中央部に向けて集まるようになり、この中央部から途切れることなく少しずつ流下し、かくして、第１流路部９６（又は第２流路部９８）の排出端部におけるドレン水の溜まり発生を防止することができる。第１流路部９６（又は第２流路部９８）の排出端が流れ方向に対して直角に直線状になっていると、流量が少ないときに表面張力によってドレンン水がこの排出端に溜まる傾向にあるが、このように端溝２０２（又は２０４）を設けることによって、その表面張力が端溝２０２（又は２０４）の中央部に集めるように作用し、これによって、ドレンン水が端溝２０２（又は２０４）の中央部から流れやくなり、第１流路部９６（又は第２流路部９８）の排出端における溜まりを少なくすることができる。
また、例えば、上述した実施形態では、ドレンレール７６の排水流路部７４（７４Ａ）を第１及び第２流路部９６，９８（９６Ａ，９８Ａ）から構成しているが、このように構成する必要はなく、排出流路部７４を一つの流路部から構成するようにしてもよい。
【００５５】
また、例えば、上述した実施形態では、中和器３２からあふれたドレン水をドレン管３６を通して排出する形態のものに適用して説明したが、これに限定されず、ドレン水を溜め容器に溜め、この溜め容器内のドレン水をドレンポンプで排出する形態のものにも同様に適用することができる。
【符号の説明】
【００５６】
２  給湯装置
４  給湯装置本体
３２  中和器
３６  ドレン管
７３，７３Ｂ  排水構造
７４，７４Ａ，７４Ｂ  排水流路部
７６，７６Ａ，７６Ｂ  ドレンレール
７８，７８Ｂ  接続手段
８０  ベランダ
９０  排水溝
９６，９６Ａ，９６Ｂ  第１流路部
９８，９８Ａ，９８Ｂ  第２流路部
１０４  撥水層
１０６，１０６Ａ  カバー部材
１４２  取付本体部
１４８，１５０  挟持部材
２０２，２０４  端溝
【図１】
0005922448.tif 000002
【図２】
0005922448.tif 000003
【図３】
0005922448.tif 000004
【図４】
0005922448.tif 000005
【図５】
0005922448.tif 000006
【図６】
0005922448.tif 000007
【図７】
0005922448.tif 000008
【図８】
0005922448.tif 000009
【図９】
0005922448.tif 000010